(57)【要約】【課題】  スキャナ機能とプリンタ機能とを同時に使用することができ、機能で搬送経路を共通化することにより機器の小型化を実現したシートフィーダタイプの画像処理装置を提供すること。【解決手段】  ユーザーが使用したい機能に応じて自動的に切り替え部１０でトレイを選択する。スキャナ使用時には図２に示すように、原稿が給紙トレイ１から給紙され、ＣＣＤモジュール３０で読み取りを行い、排紙トレイ１に排紙される。プリンタ使用時には図３に示すように、給紙トレイ２から白紙の用紙を給紙し、プリンタヘッド４０を通して、印刷を行い、排紙トレイ２から排紙されるようにする。【選択図】      図１
2006016201.tif 000002
【特許請求の範囲】
【請求項１】
スキャナ機能とプリンタ機能を有し、各々の機能に対応した１対の給紙トレイと排紙トレイを備え、
前記各給紙トレイから各排紙トレイへの搬送路を共通とし、スキャナ機能を使用するかプリンタ機能を使用するかで、使用する給紙トレイを切り替えるトレイ切り替え手段を備えたことを特徴とするスキャナ機能およびプリンタ機能を備えたシートフィーダタイプの画像処理装置。
【請求項２】
前記トレイ切り替え手段で使用する給紙トレイを連続して交互に切り替え、スキャナ機能とプリンタ機能を交互に使用することにより、複数枚原稿を連続して複写することが可能な請求項１記載のスキャナ機能およびプリンタ機能を備えたシートフィーダタイプの画像処理装置。
【請求項３】
各々の機能に対応した１対の給紙トレイ同士、または１対の排紙トレイ同士を入れ替えて使用できることを特徴とする請求項１または請求項２記載のスキャナ機能およびプリンタ機能を備えたシートフィーダタイプの画像処理装置。
【請求項４】
各々の機能に対応した１対の給紙トレイ、または１対の排紙トレイを一方の機能に固定せず、同時に一方の機能のみに両方のトレイを使用可能としたことを特徴とする請求項１または請求項２記載のスキャナ機能およびプリンタ機能を備えたシートフィーダタイプの画像処理装置。
【請求項５】
前記１対の給紙トレイと１対の排紙トレイを自由に脱着可能とし、装着されているトレイのみを使用して、スキャナ機能またはプリンタの機能を使用することができる請求項１記載のスキャナ機能およびプリンタ機能を備えたシートフィーダタイプの画像処理装置。
【発明の詳細な説明】
【技術分野】
【０００１】
本発明は、スキャナ機能とプリンタ機能を備えたシートフィードタイプの画像処理装置に関する。
【背景技術】
【０００２】
近年、シートフィードタイプの小型のスキャナやプリンタが、省スペースの利点があり、オフィス、家庭などに広く普及してきている。しかし、スキャナとプリンタをそれぞれ使用する際、同じような形状の機械が並列して配置されることとなり、省スペースの点では、まだ難点があった。
そこで、これらを１台にまとめた機器も提案されているが、スキャナとプリンタでそれぞれ別々の原稿搬送経路を持っているため、装置自体が大きくなってしまうという問題が出ていた。
そこで、これらの搬送経路を共有することにより、装置のサイズを小型化することが提案されている。
【特許文献１】特開平０６−０５４１４０号
【発明の開示】
【発明が解決しようとする課題】
【０００３】
この特許文献１記載の発明では、省スペースは実現されているのものの、スキャナ機能とプリンタ機能を同時に使用することができなかった。
そこで、本発明の第１の目的は、スキャナ機能とプリンタ機能とを同時に使用することができ、機能で搬送経路を共通化することにより機器の小型化を実現したシートフィーダタイプの画像処理装置を提供することである。
本発明の第２の目的は、スキャン機能とプリンタ機能を併用すると複写機の機能も持つことが可能であることに鑑み、スキャナ機能とプリンタ機能を交互に使用することにより、あらかじめ複数枚の原稿と用紙をセットしておけば複数枚の原稿を連続して複写することができるシートフィーダタイプの画像処理装置を提供することである。
本発明の第３の目的は、ユーザーの使用頻度等の都合に合わせて、使用頻度の高い機能の方が使い勝手の良いトレイを選択使用可能としたシートフィーダタイプの画像処理装置を提供することである。
本発明の第４の目的は、２つの給紙トレイと排紙トレイを選択により、単一の機能で占有させることを可能とすることにより、２倍の量の処理ができるシートフィーダタイプの画像処理装置を提供することである。
本発明の第５の目的は、ユーザーが不要なときには任意の給紙トレイと排紙トレイを外し、残りのトレイの組み合わせでスキャナまたはプリンタの機能を使用できるようにしたシートフィーダタイプの画像処理装置を提供することである。
【課題を解決するための手段】
【０００４】
請求項１記載の発明では、スキャナ機能とプリンタ機能を有し、各々の機能に対応した１対の給紙トレイと排紙トレイを備え、前記各給紙トレイから各排紙トレイへの搬送路を共通とし、スキャナ機能を使用するかプリンタ機能を使用するかで、使用する給紙トレイを切り替えるトレイ切り替え手段を備えたことを特徴とするスキャナ機能およびプリンタ機能を備えたシートフィーダタイプの画像処理装置により、前記第１の目的を達成する。
【０００５】
請求項２記載の発明では、前記トレイ切り替え手段で使用する給紙トレイを連続して交互に切り替え、スキャナ機能とプリンタ機能を交互に使用することにより、複数枚原稿を連続して複写することが可能な請求項１記載のスキャナ機能およびプリンタ機能を備えたシートフィーダタイプの画像処理装置により、前記第２の目的を達成する。
請求項３記載の発明では、各々の機能に対応した１対の給紙トレイ同士、または１対の排紙トレイ同士を入れ替えて使用できることを特徴とする請求項１または請求項２記載のスキャナ機能およびプリンタ機能を備えたシートフィーダタイプの画像処理装置
により、前記第３の目的を達成する。
【０００６】
請求項４記載の発明では、各々の機能に対応した１対の給紙トレイ、または１対の排紙トレイを一方の機能に固定せず、同時に一方の機能のみに両方のトレイを使用可能としたことを特徴とする請求項１または請求項２記載のスキャナ機能およびプリンタ機能を備えたシートフィーダタイプの画像処理装置により、前記第４の目的を達成する。
請求項５記載の発明では、前記１対の給紙トレイと１対の排紙トレイを自由に脱着可能とし、装着されているトレイのみを使用して、スキャナ機能またはプリンタの機能を使用することができる請求項１記載のスキャナ機能およびプリンタ機能を備えたシートフィーダタイプの画像処理装置により、前記第５の目的を達成する。
【発明の効果】
【０００７】
請求項１記載の発明では、スキャナ機能とプリンタ機能で同じ原稿搬送経路を持つことで、装置の小型化を図ることができ、それぞれの機能で給紙トレイと排紙トレイを持つことで、プリンタ用の給紙トレイに用紙をセットしたままでもスキャナ機能が使用できる。
【０００８】
請求項２記載の発明では、スキャナとプリンタの給紙トレイと排紙トレイを交互に選択することで複数枚原稿の連続複写機能も実現できる。
請求項３記載の発明では、ユーザーが任意のトレイをスキャナ機能、プリンタ機能に割り当てることができるので、使用頻度が高い機能を使い勝手の良いトレイに割り当てることで操作性が良くなる。
【０００９】
請求項４記載の発明では、スキャナ機能とプリンタ機能でそれぞれ給紙トレイと排紙トレイを持つため、それぞれのトレイには原稿のセットできる量が少なくなってしまうが、ユーザーが任意の機能で両方のトレイを使用できるようにすることによって、使用できる原稿の容量を倍にすることができる。
請求項５記載の発明では、給紙トレイも排紙トレイも２つずつあると１つの機能しか使用しなときには逆に邪魔になるが、ユーザーが使用したいトレイを自由に選択できるようにすることにより、操作がしやすく邪魔にならないようにできる。
【発明を実施するための最良の形態】
【００１０】
以下、本発明の好適な実施の形態を図１ないし図６を参照して詳細に説明する。
図１は、本発明の実施の形態に係る装置の概要図である。
第１の実施例では、図１に示すように、給紙トレイ（給紙トレイ１、給紙トレイ２）と排紙トレイ（排紙トレイ１、排紙トレイ２）をそれぞれ２つずつ備え、それぞれスキャナとプリンタで使用し、切り替え部１０、１２で自動的に使用する機能の搬送経路を選択できるようになっている。
例えば、給紙トレイ１、排紙トレイ１をスキャナ用とし、給紙トレイ２、排紙トレイ２をプリンタ用とすると、給紙トレイ２にはプリンタ用の白い用紙をセットし、給紙トレイ１にはユーザーがスキャナを使用したいときに原稿をセットする。
【００１１】
ユーザーが使用したい機能に応じて自動的に切り替え部１０でトレイを選択する。スキャナ使用時には図２に示すように、原稿が給紙トレイ１から給紙され、スキャナＣＣＤモジュール３０で読み取りを行い、排紙トレイ１に排紙される。プリンタ使用時には図３に示すように、給紙トレイ２から白紙の用紙を給紙し、プリンタヘッド４０を通して印刷を行い、排紙トレイ２から排紙されるようにする。
【００１２】
第２の実施例（請求項２に相当）では、通常の原稿搬送経路がスキャナ用とプリンタ用で分かれているような場合には、スキャナで原稿をスキャンしてプリンタで印刷することにより複写機能を実現できる。しかし、原稿の搬送経路が１つしかないため、連続して原稿をスキャンした後に連続して印刷するには、スキャンデータを保存しておくバッファーが必要になる。
この第２の実施例では、スキャナとプリンタの原稿搬送路を１枚ごとに交互に、切り替え部１０で切り替えることで、１ページ分のバッファーで連続複写機能を実現することができる。
【００１３】
第３の実施例（請求項３に相当）では、給紙トレイと排紙トレイがスキャナ用とプリンタ用にそれぞれ２つずつあるが、スキャナを多く使用するユーザーやプリンタを多く使用するユーザー、給紙（排紙）トレイ１が使用しやすいユーザーや、給紙（排紙）トレイ２が使用しやすいユーザなどさまざまであるため、ユーザーが自由にトレイの割り当てをすることを可能としている。例えば、図４の表に示すような組み合わせで設定することができる。
【００１４】
第４の実施例（請求項４に相当）では、通常は第１の実施例のような使い方をしているが、給紙トレイ１または２に載りきらない量の原稿をスキャンしたい場合や印刷をしたいときには、第３の実施例に加えて図５の表に示すように、両方のトレイ１、２をスキャナで使用したり、プリンタで使用したりできるようにする。
これにより通常の倍の容量の原稿をスキャンしたり印刷したりできる。その際両方のトレイ１とトレイ２の使用する順番もユーザーが任意に決めることができるようにする。
【００１５】
第５の実施例（請求項５に相当）では、使用するユーザーによっては使用する機能にかかわらず、給紙トレイと排紙トレイを自由に選択することも可能とする。図６のように、使用しないトレイをはずし使用したいトレイだけをつけて使用することができる。これら４通りのトレイの選択パターンは機能によらずスキャナでもプリンタでもユーザーが任意に決めることができる。
【図面の簡単な説明】
【００１６】
【図１】本発明の実施の形態に係る装置の概要を示した図である。
【図２】第１の実施例の処理を説明する図である。
【図３】第１の実施例の処理を説明する図である。
【図４】第３の実施例の処理の組み合わせを説明する表である。
【図５】第４の実施例の処理の組み合わせを説明する表である。
【図６】第５の実施例の処理を説明する図である。
【符号の説明】
【００１７】
１０  切り替え部
１２  切り替え部
３０  スキャナＣＣＤモジュール
４０  プリンタヘッド
【図１】
2006016201.tif 000003
【図２】
2006016201.tif 000004
【図３】
2006016201.tif 000005
【図４】
2006016201.tif 000006
【図５】
2006016201.tif 000007
【図６】
2006016201.tif 000008